【事件の表示】
　特願２０１８−５５０４５５「ＡＣＫ／ＮＡＣＫのフィードバック方法及び関連装置」拒絶査定不服審判事件〔平成２９年　９月２８日国際公開、ＷＯ２０１７／１６２００８、平成３１年　４月　４日国内公表、特表２０１９−５０９６９９、請求項の数（２４）〕について、次のとおり審決する。
【結　論】
　原査定を取り消す。
　本願の発明は、特許すべきものとする。
【理　由】
第１　手続の経緯
　本願は、２０１７年（平成２９年）３月１日（パリ条約による優先権主張　外国庁受理　２０１６年３月２５日　中国（ＣＮ））を国際出願日とする出願であって、その手続の経緯は以下のとおりである。
平成３０年１１月　２日　　　手続補正書の提出
令和　元年　７月　５日付け　拒絶理由通知書
令和　元年１０月１６日　　　意見書、手続補正書の提出
令和　元年１１月　１日付け　拒絶査定
令和　２年　３月１２日　　　拒絶査定不服審判の請求、手続補正書の提出
令和　２年　９月１７日付け　拒絶理由通知書（当審）
令和　２年１２月２３日　　　意見書、手続補正書の提出
令和　３年　３月　４日　　　応対記録
令和　３年　３月　４日付け　拒絶理由通知書（当審）
令和　３年　３月１２日　　　意見書、手続補正書の提出
第２　原査定の概要
　原査定（令和元年１１月１日付け拒絶査定）の概要は次のとおりである。
３．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
４．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由３（特許法第２９条第１項第３号）、理由４（特許法第２９条第２項）について
・請求項　　１ないし５、７ないし１１、１３ないし１７、１９ないし２３
・引用文献等　１
●理由４（特許法第２９条第２項）について
・請求項　　１ないし５、７ないし１１、１３ないし１７、１９ないし２３
・引用文献等　１及び２
・請求項　６、１２、１８、２４
・引用文献等　１ないし３
＜引用文献等一覧＞
１.米国特許出願公開第２０１４／０３２８３３３号明細書
２.Nokia Networks, Alcatel-Lucent, Alcatel-Lucent Shanghai Bell，Considerations of FDD DL HARQ for Supporting Latency Reduction[online]，3GPP TSG-RAN WG1#84，3GPP，２０１６年　２月１９日，R1-160798，検索日[2019.07.05],インターネット＜URL:https://www.3gpp.org/ftp/tsg_ran/WG1_RL1/TSGR1_84/Docs/R1-160798.zip＞
３.国際公開第２０１５／１０４７６７号
第３　当審拒絶理由の概要
　当審拒絶理由（令和３年３月４日付け拒絶理由通知書）の概要は次のとおりである。
１．（明確性）この出願は、特許請求の範囲の記載が下記の点で、特許法第３６条第６項第２号に規定する要件を満たしていない。
　　　　　　　　　　　　　　　　　記
　請求項２に記載の「前記Ｐ=、」及び「ここで、は切り上げを示し」が何を示しているのか不明確である。
　さらに、請求項２の「Ｋは第１指示フィールドで示されるＡＣＫ/ＮＡＣＫフィードバック情報を伝送することができる時間領域位置の数であり，Ｋは正整数である」との記載の前に「Ｋ」についての記載がなく、当該記載が何を意図したものか不明確である。
　また、請求項８、１４、２０についても同様である。
　さらに、請求項２を引用する請求項５、請求項８を引用する請求項１１、請求項１４を引用する請求項１７及び請求項２０を引用する請求項２３についても同様である。
　よって、請求項２、５、８、１１、１４、１７、２０、２３に係る発明は明確でない。
第４　本願発明について
　本願の請求項１ないし２４に係る発明（以下、それぞれ「本願発明１」ないし「本願発明２４」という。）は、令和３年３月１２日の手続補正で補正された特許請求の範囲の請求項１ないし２４に記載された事項により特定される以下のとおりの発明である。
「　　【請求項１】
　端末は、第１物理ダウンリンク制御チャネルを受信するステップと、
　前記端末は、第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップとを備え、
　前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであり、
　前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数であることを特徴とするＡＣＫ/ＮＡＣＫのフィードバック方法。
　　【請求項２】
　　【請求項３】
　前記端末は、第１ＴＴＩ長及び/または第２ＴＴＩ長に基づき、前記第１指示フィールドにより示される時間領域リソースが所在する無線フレームまたはハーフフレームまたはスロットまたはマイクロタイムスロットの番号を確定し、確定された前記無線フレームまたはハーフフレームまたはスロットまたはマイクロタイムスロットル内の前記第１指示フィールドに示される時間領域リソースを前記ＡＣＫ/ＮＡＣＫのフィードバック情報の時間領域位置とするステップをさらに備え、
　前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項１に記載のＡＣＫ/ＮＡＣＫのフィードバック方法。
　　【請求項４】
　前記端末は、前記第１物理ダウンリンク制御チャネルを伝送するシンボル番号及び/またはスロット番号及び/またはマイクロタイムスロット番号と、前記第１指示フィールドにより示される時間領域リソースのシンボル番号及び/またはスロット番号及び/またはマイクロタイムスロット番号、の大小順または前後順に基づき、ＡＣＫ/ＮＡＣＫフィードバック情報の時間領域位置を確定するステップをさらに備えることを特徴とする請求項１に記載のＡＣＫ/ＮＡＣＫのフィードバック方法。
　　【請求項５】
　前記第１指示フィールドにより示される時間領域リソースが所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
　前記第１指示フィールドにより示される時間領域リソースが所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
　前記第１指示フィールドにより示される時間領域リソースが所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
　前記第１指示フィールドにより示される時間領域リソースが所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
　前記第１指示フィールドにより示される時間領域リソースが所在するシンボルは、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項２または請求項４に記載のＡＣＫ/ＮＡＣＫのフィードバック方法。
　　【請求項６】
　前記端末が複数の前記第１物理ダウンリンク制御チャネルの第１指示フィールドそれぞれに基づいて確定したＡＣＫ/ＮＡＣＫフィードバック情報の時間領域位置が同様であれば、前記端末が、前記ＡＣＫ/ＮＡＣＫフィードバック情報の時間領域位置において、前記ＡＣＫ/ＮＡＣＫフィードバック情報を伝送する場合、
　前記端末は、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送することを特徴とする請求項１に記載のＡＣＫ/ＮＡＣＫのフィードバック方法。
　　【請求項７】
　基地局は、端末に第１物理ダウンリンク制御チャネルを送信するステップと、
　前記基地局は、第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するステップとを備え、
　前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであり、
　前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数であることを特徴とするＡＣＫ/ＮＡＣＫのフィードバック方法。
　　【請求項８】
　　【請求項９】
　前記基地局は、第１ＴＴＩ長及び/または第２ＴＴＩ長に基づき、前記第１指示フィールドにより示される、時間領域リソースが所在する無線フレームまたはハーフフレームまたはスロットまたはマイクロタイムスロットの番号を確定し、確定された前記無線フレームまたはハーフフレームまたはスロットまたはマイクロタイムスロットル内の前記第１指示フィールドに示される時間領域リソースを前記ＡＣＫ/ＮＡＣＫのフィードバック情報の時間領域位置とするステップをさらに備え、
　前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項７に記載のＡＣＫ/ＮＡＣＫのフィードバック方法。
　　【請求項１０】
　前記基地局前記第１物理ダウンリンク制御チャネルを伝送するシンボル番号及び/またはスロット番号及び/またはマイクロタイムスロット番号と、前記第１指示フィールドにより示される、時間領域リソースのシンボル番号及び/またはスロット番号及び/またはマイクロタイムスロット番号、の大小順または前後順に基づき、ＡＣＫ/ＮＡＣＫフィードバック情報の時間領域位置を、確定するステップをさらに備えることを特徴とする請求項７に記載のＡＣＫ/ＮＡＣＫのフィードバック方法。
　　【請求項１１】
　前記第１指示フィールドにより示される時間領域リソースが所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、または、
　前記第１指示フィールドにより示される時間領域リソースが所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、または、
　前記第１指示フィールドにより示される時間領域リソースが所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、または、
　前記第１指示フィールドにより示される時間領域リソースが所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、または、
　前記第１指示フィールドにより示される時間領域リソースが所在するシンボルは、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項８または請求項１０に記載のＡＣＫ/ＮＡＣＫのフィードバック方法。
　　【請求項１２】
　前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記方法は、
　前記基地局前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析するステップをさらに備えることを特徴とする請求項７に記載のＡＣＫ/ＮＡＣＫのフィードバック方法。
　　【請求項１３】
　第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである受信モジュールと、
　前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するフィードバックモジュールとを備え、
　前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数であることを特徴とする端末。
　　【請求項１４】
　　【請求項１５】
　前記フィードバックモジュールは、
　第１ＴＴＩ長及び/または第２ＴＴＩ長に基づき、前記第１指示フィールドにより示される、時間領域リソースが所在する無線フレームまたはハーフフレームまたはスロットまたはマイクロタイムスロットの番号を確定し、確定された前記無線フレームまたはハーフフレームまたはスロットまたはマイクロタイムスロットル内の前記第１指示フィールドに示される時間領域リソースを前記ＡＣＫ/ＮＡＣＫのフィードバック情報の時間領域位置とし、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項１３に記載の端末。
　　【請求項１６】
　前記フィードバックモジュールは、
　前記第１物理ダウンリンク制御チャネルを伝送するサブフレーム番号及び/またはＴＴＩ番号及び/またはシンボル番号及び/またはスロット番号及び/またはマイクロタイムスロット番号と、前記第１指示フィールドにより示される、時間領域リソースのシンボル番号及び/またはスロット番号及び/またはマイクロタイムスロット番号、の大小順または前後順に基づき、ＡＣＫ/ＮＡＣＫフィードバック情報の時間領域位置を、確定することを特徴とする請求項１３に記載の端末。
　　【請求項１７】
　前記第１指示フィールドにより示される時間領域リソースが所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
　前記第１指示フィールドにより示される時間領域リソースが所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
　前記第１指示フィールドにより示される時間領域リソースが所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
　前記第１指示フィールドにより示される時間領域リソースが所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
　前記第１指示フィールドにより示される時間領域リソースが所在するシンボルは、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項１４または請求項１６に記載の端末。
　　【請求項１８】
　前記フィードバックモジュールは、
　前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送することを特徴とする請求項１３に記載の端末。
　　【請求項１９】
　端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである送信モジュールと、
　前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する受信モジュールとを備え、
　前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数であることを特徴とする基地局。
　　【請求項２０】
　　【請求項２１】
　処理モジュールをさらに備え、
　前記処理モジュールは、第１ＴＴＩ長及び/または第２ＴＴＩ長に基づき、前記第１指示フィールドにより示される時間領域リソースが所在する無線フレームまたはハーフフレームまたはスロットまたはマイクロタイムスロットの番号を確定し、確定された前記無線フレームまたはハーフフレームまたはスロットまたはマイクロタイムスロットル内の前記第１指示フィールドに示される時間領域リソースを前記ＡＣＫ/ＮＡＣＫのフィードバック情報の時間領域位置とし、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項１９に記載の基地局。
　　【請求項２２】
　処理モジュールをさらに備え、
　前記処理モジュールは、前記第１物理ダウンリンク制御チャネルを伝送するシンボル番号及び/またはスロット番号及び/またはマイクロタイムスロット番号と、前記第１指示フィールドにより示される、時間領域リソースのシンボル番号及び/またはスロット番号及び/またはマイクロタイムスロット番号、の大小順または前後順に基づき、ＡＣＫ/ＮＡＣＫフィードバック情報の時間領域位置を、確定することを特徴とする請求項１９に記載の基地局。
　　【請求項２３】
　前記第１指示フィールドにより示される時間領域リソースが所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、または、
　前記第１指示フィールドにより示される時間領域リソースが所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、または、
　前記第１指示フィールドにより示される時間領域リソースが所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、または、
　前記第１指示フィールドにより示される時間領域リソースが所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、または、
　前記第１指示フィールドにより示される時間領域リソースが所在するシンボルは、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項２０または請求項２２に記載の基地局。
　　【請求項２４】
　処理モジュールをさらに備え、
　前記処理モジュールは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析することを特徴とする請求項１９に記載の基地局。」
第５　引用例の記載事項及び引用発明
１．引用例１について
　原査定の拒絶理由及び当審拒絶理由で引用された米国特許出願公開第２０１４／０３２８３３３号明細書（以下、「引用例１」という）には、以下の事項が記載されている。（下線は当審で付与した。）
（１）「[0044] The PCFICH transmitted in a first OFDM symbol of the subframe transports a control format indicator regarding the number (that is, the size of the control region) of OFDM symbols used to transmit control channels in the subframe. 
The user equipment 
monitors the PDCCH. 
（当審仮訳：
［００４４］　サブフレームの１番目のＯＦＤＭシンボルで送信されるＰＣＦＩＣＨは、サブフレーム内で制御チャネルの送信に使われるＯＦＤＭシンボルの数（すなわち、制御領域のサイズ）に関する制御フォーマットインジケータを搬送する。
ユーザ機器は、
ＰＤＣＣＨをモニタする。
（２）「[0047] 
Control information transmitted through the PDCCH is called downlink control information (DCI). The DCI may include resource allocation (also referred to as downlink (DL) grant) of the PDSCH,
（当審仮訳：
［００４７］　
ＰＤＣＣＨを通じて伝送される制御情報はダウンリンク制御情報（ＤＣＩ）と呼ばれている。ＤＣＩは、ＰＤＳＣＨのリソース割当（ダウンリンク（ＤＬ）グラントとも呼ばれる）
を含むことができる。
（３）「[0107] 
The user equipment receives the transport block through the PDSCH of the subframe n
[0108] 
The user equipment
transmits the ACK/NACK in the subframe n+kdefault+kadd when the size of the transport block is larger than X
（当審仮訳：
［０１０７］　
ユーザ機器は、サブフレームｎのＰＤＳＣＨを介してトランスポートブロックを受信する
［０１０８］　
ユーザ機器は、
トランスポートブロックのサイズがＸよりも大きい場合、サブフレームｎ＋ｋｄｅｆａｕｌｔ＋ｋａｄｄでＡＣＫ／ＮＡＣＫを送信する
（４）「[0110] Meanwhile, 
the base station may transmit information on the ACK/NACK transmission timing included in the DCI. For example, information on kadd may be signaled by configuring a specific field in the DCI 
（当審仮訳：
［０１１０］　一方、
基地局は、ＤＣＩに含まれるＡＣＫ／ＮＡＣＫ送信タイミングの情報を送信することができる。例えば、ｋａｄｄの情報は、ＤＣＩ内の特定のフィールドを構成すること
によって伝達されてもよい。
　引用例１の上記記載、及びこの分野における技術常識を考慮すると、次のことがいえる。
ア　上記（１）によれば、ユーザ機器は、ＰＤＣＣＨをモニタする。
 
イ　上記（３）によれば、「ユーザ機器は、サブフレームｎのＰＤＳＣＨを介してトランスポートブロックを受信」し、「トランスポートブロックのサイズがＸよりも大きい場合、サブフレームｎ＋ｋｄｅｆａｕｌｔ＋ｋａｄｄでＡＣＫ／ＮＡＣＫを送信する」。
ウ　上記（４）の「基地局は、ＤＣＩに含まれるＡＣＫ／ＮＡＣＫ送信タイミングの情報を送信することができる。例えば、ｋａｄｄの情報は、ＤＣＩ内の特定のフィールドを構成すること・・・によって伝達されてもよい。」の記載によれば、ｋａｄｄの情報は、ＤＣＩ内の特定のフィールドを構成することによって基地局から伝達される。
エ　上記（２）の「ＰＤＣＣＨを通じて伝送される制御情報はダウンリンク制御情報（ＤＣＩ）と呼ばれている。ＤＣＩは、ＰＤＳＣＨのリソース割当（ダウンリンク（ＤＬ）グラントとも呼ぶ）・・・を含むことができる。」との記載によれば、ＤＣＩは、ＰＤＣＣＨを介して送信され、ＰＤＳＣＨのリソース割り当てを含む。
　以上を総合すると、引用例１には、次の発明（以下、「引用発明」という。）が記載されていると認められる。
「　ユーザ機器は、ＰＤＣＣＨをモニタすること、
　ユーザ機器は、サブフレームｎのＰＤＳＣＨを介してトランスポートブロックを受信し、トランスポートブロックのサイズがＸよりも大きい場合、サブフレームｎ＋ｋｄｅｆａｕｌｔ＋ｋａｄｄでＡＣＫ／ＮＡＣＫを送信すること、を含む方法であって，
　ｋａｄｄの情報は、ＤＣＩ内の特定のフィールドを構成することによって基地局から伝達され、
　ＤＣＩは、ＰＤＣＣＨを介して送信され、ＰＤＳＣＨのリソース割り当てを含む、
　方法。」
２．引用例２について
　原査定の拒絶理由及び当審拒絶理由で引用されたNokia Networks, Alcatel-Lucent, Alcatel-Lucent Shanghai Bell，Considerations of FDD DL HARQ for Supporting Latency Reduction（当審仮訳：レイテンシー削減をサポートするためのＦＤＤ　ＤＬ　ＨＡＲＱの考慮事項）[online]，3GPP TSG-RAN WG1#84，3GPP，２０１６年　２月１９日，R1-160798，検索日[2019.07.05],インターネット＜URL:https://www.3gpp.org/ftp/tsg_ran/WG1_RL1/TSGR1_84/Docs/R1-160798.zip＞（以下、「引用例２」という）には、以下の事項が記載されている。（下線は当審で付与した。）
（１）「3. Downlink HARQ for sTTI 
In LTE/LTE-A FDD, the UE is expected to feedback ACK/NACK in subframe n+4 in case a DL grant is detected in subframe n. 
（当審仮訳：
３．ｓＴＴＩのためのダウンリンクＨＡＲＱ
ＬＴＥ／ＬＴＥ−Ａ　ＦＤＤでは、サブフレームｎでＤＬグラントが検出された場合、ＵＥはサブフレームｎ＋４でＡＣＫ／ＮＡＣＫをフィードバックすることが期待される。
（２）「Observation #2: 
The design target needs to be a reasonable trade-off between sTTI length and HARQ-ACK timing assumptions (i.e. n+k).
（当審仮訳：
観察＃２：
設計目標は、ｓＴＴＩの長さとＨＡＲＱ−ＡＣＫタイミングの仮定（すなわち
ｎ＋ｋ）の間の妥当なトレードオフである必要がある。
（３）「
For different sTTI lengths and different cell sizes, the HARQ-ACK timing may be optimized with different values of k.
（当審仮訳：
異なるｓＴＴＩの長さと異なるセルサイズの場合、ＨＡＲＱ−ＡＣＫのタイミングはｋの異なる値で最適化できる。
　引用例２の上記記載、及びこの分野における技術常識を考慮すると、次のことがいえる。
ア　上記（１）の「ＬＴＥ／ＬＴＥ−Ａ　ＦＤＤでは、サブフレームｎでＤＬグラントが検出された場合、ＵＥはサブフレームｎ＋４でＡＣＫ／ＮＡＣＫをフィードバックすることが期待される。」との記載によれば、ＵＥは、ＤＬグラントをサブフレームｎで検出し、サブフレームｎより後のサブフレームにおいてＡＣＫ／ＮＡＣＫをフィードバックするといえる。
イ　上記（２）の「設計目標は、ｓＴＴＩの長さとＨＡＲＱ−ＡＣＫタイミングの仮定（すなわち、ｎ＋ｋ）の間の妥当なトレードオフである必要がある。」との記載によれば、所定のｓＴＴＩ長において、ＨＡＲＱ−ＡＣＫタイミングはｎ＋ｋと仮定されるといえる
ウ　上記（３）の「異なるｓＴＴＩの長さと異なるセルサイズの場合、ＨＡＲＱ−ＡＣＫのタイミングはｋの異なる値で最適化できる。」との記載によれば、ｓＴＴＩ長が異なる場合、ＨＡＲＱ−ＡＣＫタイミングは異なるｋの値により最適化されるといえる。
　以上を総合すると、引用例２には、「ＵＥは、ＤＬグラントをサブフレームｎで検出し、サブフレームｎより後のサブフレームにおいてＡＣＫ／ＮＡＣＫをフィードバックし、
　ここで、所定のｓＴＴＩ長において、ＨＡＲＱ−ＡＣＫタイミングはｎ＋ｋと仮定され、
　また、ｓＴＴＩ長が異なる場合、ＨＡＲＱ−ＡＣＫタイミングは異なるｋの値により最適化される」という技術的事項が記載されていると認められる。
３．引用例３について
　原査定の拒絶理由及び当審拒絶理由で引用された国際公開第２０１５／１０４７６７号（以下、「引用例３」という）には、以下の事項が記載されている。（下線は当審で付与した。）
（１）「[0054] 
Each of the one or more UEs 102 may include
one or more UE operations modules 124.
（当審仮訳：
［００５４］
　
１つ以上のＵＥ１０２のそれぞれは、
ＵＥオペレーションモジュール１２４を含む。
（２）「[0058] In general, the UE operations module 124 may enable the UE 102 to communicate with the one or more eNBs 160. 
The UE operations module 124 may include
a UE PUCCH format 1b reporting module 128
（当審仮訳：
［００５８］
　一般に、ＵＥオペレーションモジュール１２４は、ＵＥ１０２が１つ以上のｅＮＢ１６０と通信することを可能にする。
ＵＥオペレーションモジュール１２４は、
ＵＥ　ＰＵＣＣＨフォーマット１ｂレポーティングモジュール１２８
を含む。
（３）「[0064] 
The UE PUCCH format 1b reporting module 128 may monitor the DL downlink assignment index (DAI) filed in downlink control information (DCI) to determine the ordering and multiplexing of the HARQ-ACK bits.
（当審仮訳：
［００６４］
　
ＵＥ　ＰＵＣＣＨフォーマット１ｂレポーティングモジュール１２８は、ＨＡＲＱ−ＡＣＫビットの順序付け及び多重を確定するために下りリンク制御情報（ＤＣＩ）中にファイルされたＤＬダウンリンクアサインメントインデックス（ＤＡＩ）をモニタする。
　引用例３の上記記載、及びこの分野における技術常識を考慮すると、次のことがいえる。
ア　上記（１）の「１つ以上のＵＥ１０２のそれぞれは、・・・ＵＥオペレーションモジュール１２４を含む。」との記載によれば、ＵＥは、ＵＥオペレーションモジュールを含む。
イ　上記（２）の「ＵＥオペレーションモジュール１２４は、・・・ＵＥ　ＰＵＣＣＨフォーマット１ｂレポーティングモジュール１２８・・・を含む。」との記載によれば、ＵＥオペレーションモジュールは、ＵＥ　ＰＵＣＣＨフォーマット１ｂレポーティングモジュールを含む。
ウ　上記（３）の「ＵＥ　ＰＵＣＣＨフォーマット１ｂレポーティングモジュール１２８は、ＨＡＲＱ−ＡＣＫビットの順序付け及び多重を確定するために下りリンク制御情報（ＤＣＩ）中にファイルされたＤＬダウンリンクアサインメントインデックス（ＤＡＩ）をモニタする。」によれば、ＵＥ　ＰＵＣＣＨフォーマット１ｂレポーティングモジュールは、ＨＡＲＱ−ＡＣＫビットの順序付け及び多重を確定するためにＤＣＩ中のＤＡＩをモニタするといえる。
　以上を総合すると、引用例３には、「ＵＥは、ＵＥオペレーションモジュールを含み、ＵＥオペレーションモジュールは、ＵＥ　ＰＵＣＣＨフォーマット１ｂレポーティングモジュールを含み、ＵＥ　ＰＵＣＣＨフォーマット１ｂレポーティングモジュールは、ＨＡＲＱ−ＡＣＫビットの順序付け及び多重を確定するためにＤＣＩ中のＤＡＩをモニタする」という技術的事項が記載されていると認められる。
第６　対比・判断
１．本願発明１について
　本願発明１と引用発明とを対比する。
（１）引用発明の「ユーザ機器」と「ＰＤＣＣＨ」と「ＤＣＩ」は、それぞれ、本願発明１の「端末」と「第１物理ダウンリンク制御チャネル」と「ダウンリンク制御情報ＤＣＩ」とに相当する。また、引用発明の「ＡＣＫ／ＮＡＣＫ」がフィードバック情報であることは技術常識であるから、本願発明１の「ＡＣＫ／ＮＡＣＫフィードバック情報」に相当する。そして、引用発明の「サブフレームｎ＋ｋｄｅｆａｕｌｔ＋ｋａｄｄ」は、ＡＣＫ／ＮＡＣＫを送信するサブフレーム、すなわちＡＣＫ／ＮＡＣＫを送信する時間領域の位置を示すものであるから、本願発明１の「時間領域位置」に相当する。さらに、引用発明のｋａｄｄの情報がサブフレームｎ＋ｋｄｅｆａｕｌｔ＋ｋａｄｄを確定するためのものであることは明らかであり、ｋａｄｄの情報は、ＤＣＩ内の特定のフィールドを構成することによって基地局から伝達されるのであるから、ＤＣＩ内の特定フィールドもサブフレームｎ＋ｋｄｅｆａｕｌｔ＋ｋａｄｄを確定するためのものであることは明らかである。してみれば、引用発明の「特定フィールド」は、本願発明１の「第１指示フィールド」に相当する。
　また、引用発明の方法は、端末がＡＣＫ／ＮＡＣＫを送信する方法であるから、本願発明１と引用発明とは、「ＡＣＫ／ＮＡＣＫのフィードバック方法」である点で共通する。
（２）引用発明において、ユーザ機器はＰＤＣＣＨをモニタすることにより、ＰＤＣＣＨを受信することは明らかであるから、引用発明の「ユーザ機器は、ＰＤＣＣＨをモニタすること」は、本願発明１の「端末は、第１物理ダウンリンク制御チャネルを受信するステップ」に相当する。
（３）ここで、本願発明１の「前記第１物理ダウンリンク制御チャネルまたは前記第１物理ダウンリンク制御チャネルに対応する第１物理ダウンリンク共有チャネルのＡＣＫ／ＮＡＣＫフィードバック情報」との事項に関して、「前記第１物理ダウンリンク制御チャネルまたは前記第１物理ダウンリンク制御チャネルに対応する第１物理ダウンリンク共有チャネル」との記載は、択一的な選択肢の要素を記載したものであり、当該択一的な選択肢のうちの１つの要素で特定されるものを含むから、本願発明１の上記事項に関して、択一的な選択肢の要素のうち「前記第１物理ダウンリンク制御チャネルに対応する第１物理ダウンリンク共有チャネル」についての「ＡＣＫ／ＮＡＣＫフィードバック情報」について、以下に検討を行う。
　引用発明１の「ＰＤＳＣＨ」は、当該ＰＤＳＣＨのリソース割当がＰＤＣＣＨを介して送信されるＤＣＩに含まれるから、ＰＤＣＣＨに対応するＰＤＳＣＨといえ、さらに、引用発明１の「ＡＣＫ／ＮＡＣＫ」は、ＰＤＳＣＨを介して受信されるトランスポートブロックについてのＡＣＫ／ＮＡＣＫであるから、ＰＤＳＣＨのＡＣＫ／ＮＡＣＫといえる。そうすると、本願発明１と引用発明は双方とも「前記第１物理ダウンリンク制御チャネルに対応する第１物理ダウンリンク共有チャネルのＡＣＫ／ＮＡＣＫフィードバック情報」を伝送する点で共通する。
　また、引用発明のユーザ機器は、サブフレームｎ＋ｋｄｅｆａｕｌｔ＋ｋａｄｄでＡＣＫ／ＮＡＣＫを送信するにあたり、サブフレームｎ＋ｋｄｅｆａｕｌｔ＋ｋａｄｄを確定すること、また、サブフレームｎ＋ｋｄｅｆａｕｌｔ＋ｋａｄｄの確定が、ｋａｄｄの情報に従ってなされることは明らかである。さらに、引用発明では、ｋａｄｄの情報は、ＤＣＩ内の特定のフィールドを構成することによって基地局から伝達されるのであるから、サブフレームｎ＋ｋｄｅｆａｕｌｔ＋ｋａｄｄの確定が特定のフィールドに従ってなされることは明らかである。してみれば、引用発明の「ユーザ機器は、サブフレームｎのＰＤＳＣＨを介してトランスポートブロックを受信し、トランスポートブロックのサイズがＸよりも大きい場合、サブフレームｎ＋ｋｄｅｆａｕｌｔ＋ｋａｄｄでＡＣＫ／ＮＡＣＫを送信すること」及び「ｋａｄｄの情報は、ＤＣＩ内の特定のフィールドを構成することによって基地局から伝達され、ＤＣＩは、ＰＤＣＣＨを介して送信され、ＰＤＳＣＨのリソース割り当てを含」むことは、本願発明１の「前記端末は、第１指示フィールドに従って」、「前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップ」に相当する。
　そして、引用発明は、本願発明１の「前記第１物理ダウンリンク制御チャネルまたは前記第１物理ダウンリンク制御チャネルに対応する第１物理ダウンリンク共有チャネル」との記載における択一的な選択肢のうちの１つの要素である「前記第１物理ダウンリンク制御チャネルに対応する第１物理ダウンリンク共有チャネル」に関する発明を含むものであるから、引用発明の「ユーザ機器は、サブフレームｎのＰＤＳＣＨを介してトランスポートブロックを受信し、トランスポートブロックのサイズがＸよりも大きい場合、サブフレームｎ＋ｋｄｅｆａｕｌｔ＋ｋａｄｄでＡＣＫ／ＮＡＣＫを送信すること」及び「ｋａｄｄの情報は、ＤＣＩ内の特定のフィールドを構成することによって基地局から伝達され、ＤＣＩは、ＰＤＣＣＨを介して送信され、ＰＤＳＣＨのリソース割り当てを含」むことは、本願発明１の「前記端末は、第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップ」に含まれる。
（４）引用発明の「特定のフィールド」は、ＤＣＩ内に構成されるのであるから、ＤＣＩに含まれる。また、ＤＣＩはＰＤＣＣＨを介して送信されるから、引用発明の「ＤＣＩは、ＰＤＣＣＨを介して送信され」、「ＤＣＩ内の特定のフィールドを構成すること」は、本願発明１の「第１物理ダウンリンク制御チャネルのダウンリンク制御情報ＤＣＩに第１指示フィールドが含まれ」ることに相当する。
　また、上記（１）で説示したように、引用発明のＤＣＩ内の「特定フィールド」は、サブフレームｎ＋ｋｄｅｆａｕｌｔ＋ｋａｄｄを確定するためのものであるから、本願発明１の「第１指示フィールド」と同様に、「ＡＣＫ/ＮＡＣＫフィードバック情報の時間領域位置を確定するためのもの」である。
　そうすると、本願発明１の「前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのもの」と、引用発明の「ｋａｄｄの情報は、ＤＣＩ内の特定のフィールドを構成することによって基地局から伝達され、ＤＣＩは、ＰＤＣＣＨを介して送信され」ること及び「サブフレームｎ＋ｋｄｅｆａｕｌｔ＋ｋａｄｄでＡＣＫ／ＮＡＣＫを送信すること」とは、「第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのもの」である点で一致する。
　ただし、本願発明１の「ダウンリンク制御情報ＤＣＩに第１指示フィールドが含まれ」る「第１物理ダウンリンク制御チャネル」は、「前記第１物理ダウンリンク制御チャネル」であるところ、「前記」により指示される「第１物理ダウンリンク制御チャネル」は、「前記第１物理ダウンリンク制御チャネルに対応する第１物理ダウンリンク共有チャネル」とあることから、「対応する第１物理ダウンリンク共有チャネル」がある「第１物理ダウンリンク制御チャネル」である。そうすると、本願発明１の「第１物理ダウンリンク制御チャネル」は、「対応する第１物理共有チャネル」があり、さらに、「ダウンリンク制御情報ＤＣＩに第１指示フィールド」が含まれるのに対し、引用発明１の「ＰＤＣＣＨ」に対応するＰＤＳＣＨがあるものの、そのような特定がされていない点で相違する。
　以上のことから、本願発明１と引用発明との一致点及び相違点は、次のとおりである。
（一致点）
「　端末は、第１物理ダウンリンク制御チャネルを受信するステップと、
　前記端末は、第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップとを備え、
　第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであることを特徴とするＡＣＫ/ＮＡＣＫのフィードバック方法。」
（相違点１）
　本願発明１の「第１物理ダウンリンク制御チャネル」は、「対応する第１物理共有チャネル」があり、さらに、「ダウンリンク制御情報ＤＣＩに第１指示フィールド」が含まれるのに対し、引用発明１の「ＰＤＣＣＨ」に対応するＰＤＳＣＨがあるものの、そのような特定がされていない点
（相違点２）
　本願発明１では、「前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数である」のに対し、引用発明１では、そのような特定がされていない点。
　上述のとおり、本願発明１と引用発明とは、上記相違点１及び２で相違するから、本願発明１は引用発明ではない。
　また、事案に鑑み、上記相違点２について先に検討すると、上記相違点２のように「前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは１より大きい正整数であり、または、
　前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、前記Ａは１より大きい正整数であり、または、
　前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、前記Ａは１より大きい正整数であり、または、
　前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、前記Ａは１より大きい正整数であり、または、
　前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有し、前記Ａは１より大きい正整数である」ことは、引用例２及び３に記載も示唆もされておらず、周知技術であるともいえない。
　したがって、上記相違点１を検討するまでもなく、本願発明１は、当業者であっても、引用発明及び引用例２及び３のそれぞれに記載された技術的事項に基づいて、容易に発明をすることができたものとはいえない。
　さらに、主たる引用例を引用例２とした場合であっても、上述したとおり、引用例１ないし３には上記相違点２に係る発明特定事項が記載も示唆もされておらず、周知技術であるともいえない。
　したがって、本願発明１は、当業者であっても、引用例２に記載された発明及び引用例１及び３のそれぞれに記載された技術的事項に基づいて、容易に発明をすることができたものとはいえない。
２．本願発明２ないし６について
　本願発明２ないし６は、本願発明１の発明特定事項を全て含むから、本願発明１と同じ理由により、引用発明ではなく、また、当業者であっても、引用発明及び引用例２及び３のそれぞれに記載された技術的事項、又は引用例２に記載された発明及び引用例１及び３のそれぞれに記載された技術的事項に基づいて、容易に発明をすることができたものとはいえない。
３．本願発明７ないし２４について
　本願発明７ないし２４は、本願発明１の上記相違点２の発明特定事項と同様の発明特定事項を備えるから、本願発明１と同様の理由により、引用発明ではなく、また、当業者であっても、引用発明及び引用例２及び３のそれぞれに記載された技術的事項、又は引用例２に記載された発明及び引用例１及び３のそれぞれに記載された技術的事項に基づいて、容易に発明をすることができたものとはいえない。
第７　原査定についての判断
　本願発明１ないし２４は、上記「第６」の「１．」ないし「第６」の「３．」のとおり、原査定において引用された引用例１に記載された発明ではなく、また、当業者であっても、原査定において引用された引用例１に記載された発明及び引用例２及び３のそれぞれに記載された技術的事項、又は引用例２に記載された発明及び引用例１及び３のそれぞれに記載された技術的事項に基づいて、容易に発明をすることができたものとはいえない。
　したがって、原査定の理由を維持することはできない。
第８　当審拒絶理由の判断
　令和３年３月１２日にされた手続補正により、請求項２を、「
」と補正した。また、請求項８、１４、２０も請求項２と同様の補正をした。
　これにより、請求項２、８、１４、２０の記載は明確となったので拒絶理由は解消された。
第９　むすび
　以上のとおり、本願発明１ないし２４は、引用例１に記載された発明ではなく、また、当業者が引用例１に記載された発明及び引用例２及び３のそれぞれに記載された技術的事項、又は引用例２に記載された発明及び引用例１及び３のそれぞれに記載された技術的事項に基づいて容易に発明をすることができたものとはいえない。
　したがって、原査定の理由によっては、本願を拒絶することはできない。
　また、他に本願を拒絶すべき理由を発見しない。
　よって、結論のとおり審決する。